(57)【要約】【課題】パネルの鉛直方向断面を曲線形状とすることにより、使用者に有機的な印象を与えるとともに、外部空間との遮蔽性を確保するために上下幅を大きくする必要性を低減することの可能な、パネルユニット、及び、パネルユニット用パネル体を提供する。【解決手段】パネルブース１を構成するパネルユニットは、複数枚のパネルを組み合わせて構成され、パネルのうち少なくとも１枚に、水平方向断面、及び、鉛直方向断面のそれぞれが円の一部で形成された曲面パネル１０が用いられ、曲面パネル１０と曲面パネル１０に隣接するパネルとは、相対角度が所定角度となるように配置した際に、隣り合う側辺同士の間隔が一定となる。【選択図】図１
2020105727.tif 000002
【特許請求の範囲】
【請求項１】
複数枚のパネルを組み合わせて構成されるパネルユニットであって、
前記パネルのうち少なくとも１枚に、水平方向断面、及び、鉛直方向断面のそれぞれが円の一部で形成された曲面パネルが用いられ、
前記曲面パネルと該曲面パネルに隣接する前記パネルとは、相対角度が所定角度となるように配置した際に、隣り合う側辺同士の間隔が一定となる、パネルユニット。
【請求項２】
前記曲面パネルは、前記パネルユニットの内側に中心を有する球面の一部を切り取って形成された球面パネルである、請求項１に記載のパネルユニット。
【請求項３】
前記曲面パネルは、水平方向に対称な形状に形成され、
前記曲面パネルの水平方向における両側辺は、前記曲面パネルを含む曲面を水平方向に対称な２枚の切断面で切断した切断線上に形成され、
前記２枚の切断面は、前記曲面パネルを水平方向に二等分する面上で交わる、請求項１又は請求項２に記載のパネルユニット。
【請求項４】
前記パネルの全てに前記曲面パネルが用いられる、請求項３に記載のパネルユニット。
【請求項５】
複数枚のパネルを組み合わせて構成されるパネルユニットにおいて、前記パネルのうち少なくとも１枚に用いられる、パネルユニット用パネル体であって、
前記パネルユニット用パネル体は、前記パネルユニットの内側に中心を有する球面の一部を切り取って水平方向に対称な形状に形成され、
前記パネルユニット用パネル体の両側辺は、前記パネルユニット用パネル体を含む曲面を水平方向に対称な２枚の切断面で切断した切断線上に形成され、
前記２枚の切断面は、前記パネルユニット用パネル体を水平方向に二等分する面上で交わる、パネルユニット用パネル体。
【発明の詳細な説明】
【技術分野】
【０００１】
本発明はパネルユニット、及び、パネルユニット用パネル体に関し、詳細には、オフィス等で業務を行う際に用いるパネルユニットを構成するパネル体に関するものである。
【背景技術】
【０００２】
従来、企業等において、従業員が業務に集中できる環境を確保するために、オフィスにパネルを組み合わせて構成したパネルブースを設ける場合がある。このようなパネルブースを構成する際に、平面視で曲線形状となるように、曲面形状に形成されたパネルを組み合わせて構成されたパネルユニットが用いられる。（例えば、特許文献１及び特許文献２を参照）。
【先行技術文献】
【特許文献】
【０００３】
【特許文献１】特開平１０−１２７３６４号公報
【特許文献２】米国特許出願公開第２０１５／０３０００１０号明細書
【発明の概要】
【発明が解決しようとする課題】
【０００４】
上記の特許文献に記載のパネルブースによれば、パネルユニットを構成するパネルの鉛直方向断面が直線形状にデザインされているため、使用者に無機質な印象を与えていた。また、パネルの上側から覗き込んだ際にパネルユニットの内部が視認されやすいため、外部空間との遮蔽性を確保するために上下幅を大きくする必要があった。
【０００５】
本発明は以上の如き状況に鑑みてなされたものであり、本発明が解決しようとする課題は、パネルの鉛直方向断面を曲線形状とすることにより、使用者に有機的な印象を与えるとともに、外部空間との遮蔽性を確保するために上下幅を大きくする必要性を低減することの可能な、パネルユニット、及び、パネルユニット用パネル体を提供することである。
【課題を解決するための手段】
【０００６】
本発明は、上記課題を解決するために、以下に構成するパネルユニットを提供する。
【０００７】
（１）複数枚のパネルを組み合わせて構成されるパネルユニットであって、前記パネルのうち少なくとも１枚に、水平方向断面、及び、鉛直方向断面のそれぞれが円の一部で形成された曲面パネルが用いられ、前記曲面パネルと該曲面パネルに隣接する前記パネルとは、相対角度が所定角度となるように配置した際に、隣り合う側辺同士の間隔が一定となる、パネルユニット。
【０００８】
（２）前記曲面パネルは、前記パネルユニットの内側に中心を有する球面の一部を切り取って形成された球面パネルである、（１）に記載のパネルユニット。
【０００９】
（３）前記曲面パネルは、水平方向に対称な形状に形成され、前記曲面パネルの水平方向における両側辺は、前記曲面パネルを含む曲面を水平方向に対称な２枚の切断面で切断した切断線上に形成され、前記２枚の切断面は、前記曲面パネルを水平方向に二等分する面上で交わる、（１）又は（２）に記載のパネルユニット。
【００１０】
（４）前記パネルの全てに前記曲面パネルが用いられる、（３）に記載のパネルユニット。
【００１１】
また、本発明は、上記課題を解決するために、以下に構成するパネルユニット用パネル体を提供する。
【００１２】
（５）複数枚のパネルを組み合わせて構成されるパネルユニットにおいて、前記パネルのうち少なくとも１枚に用いられる、パネルユニット用パネル体であって、前記パネルユニット用パネル体は、前記パネルユニットの内側に中心を有する球面の一部を切り取って水平方向に対称な形状に形成され、前記パネルユニット用パネル体の両側辺は、前記パネルユニット用パネル体を含む曲面を水平方向に対称な２枚の切断面で切断した切断線上に形成され、前記２枚の切断面は、前記パネルユニット用パネル体を水平方向に二等分する面上で交わる、パネルユニット用パネル体。
【発明の効果】
【００１３】
以上における本発明に係るパネルユニットは、以下に示す効果を奏する。
【００１４】
（１）の構成によれば、使用者に有機的な印象を与えるとともに、外部空間との遮蔽性を確保するために上下幅を大きくする必要性を低減することが可能となる。
【００１５】
（２）の構成によれば、複数の曲面パネルを重ね合わせた場合に、間に隙間やがたつきを生じずに使用することができる。
【００１６】
（３）の構成によれば、曲面パネルの両側にパネルを連結することができるため、曲面パネルの配置形状の自由度を高めることができる。
【００１７】
（４）の構成によれば、全ての曲面パネルを隣接して配置することができる。
【００１８】
また、以上における本発明に係るパネルユニット用パネル体は、以下に示す効果を奏する。
【００１９】
（５）の構成によれば、使用者に有機的な印象を与えるとともに、外部空間との遮蔽性を確保するために上下幅を大きくする必要性を低減したパネルユニットを構成することが可能となる。
【図面の簡単な説明】
【００２０】
【図１】第一実施形態に係るパネルブースを示す斜視図。
【図２】第一実施形態に係るパネルブースを示す中央断面図。
【図３】第一実施形態に係るパネルブースの分解図。
【図４】曲面パネルの分解図。
【図５】曲面パネルの連結構成を示した拡大図。
【図６】スライド曲面パネルの構成を示した斜視図。
【図７】基本パネルユニットを示した斜視図。
【図８】（ａ）、（ｂ）、及び、（ｃ）はそれぞれ、曲面パネルを示した正面図、平面図、及び、側面図。
【図９】基本パネルユニットを示した平面図。
【図１０】（ａ）は別実施例に係るパネルの連結構成を示した図、（ｂ）はその拡大図。
【図１１】第二実施形態に係るパネルブースを示す斜視図。
【図１２】第三実施形態に係るパネルブースを示す斜視図。
【図１３】第四実施形態に係るパネルブースを示す斜視図。
【図１４】第五実施形態に係るパネルブースを示す斜視図。
【図１５】第六実施形態に係るパネルブースを示す斜視図。
【図１６】第七実施形態に係るパネルブースを示す斜視図。
【発明を実施するための形態】
【００２１】
以下では図１から図９を用いて、本発明の第一実施形態に係るパネルブース１について説明する。本明細書においては、パネルブース１の使用者から見た方向で、パネルブース１の方向を規定する。即ち、図１における紙面左下方向を前方、紙面右上方向を後方とし、同じく紙面左上方向を右側方、紙面右下方向を左側方とする。
【００２２】
図１及び図２に示す如く、パネルブース１は、複数枚の曲面パネル１０を組み合わせたパネルユニットの内側に、椅子２１及びテーブル２２を配置して構成される。曲面パネル１０は、本発明に係るパネルユニット用パネル体の一実施形態である。パネルユニットの内部に配置される物については限定されるものではなく、図１１に示す如く曲面パネル１０で天板２４を支持する構成や、図１２に示す如くテーブル２５のみを配置する構成（テーブル２５自身で自立する構成）としても良い。即ち、パネルユニットの内部に配置される物は、単体で自立する物でも、曲面パネル１０に直接的に組付けられてパネルユニットに支持される物でも良い。また、パネルユニットの内部に照明器具等を配置することも可能である。
【００２３】
本実施形態に係るパネルブース１を構成するパネルユニットは四枚の曲面パネル１０で構成される。具体的には図１に示す如く、パネルユニットは、使用者の背後に位置する背側曲面パネル１０Ｂ、同じく右側に位置する右側曲面パネル１０Ｒ、同じく左側に位置する左側曲面パネル１０Ｌ、及び、左側曲面パネル１０Ｌの外面（左側面）に対して前後方向にスライド可能に組付けられるスライド曲面パネル１０Ｓで構成されている。本実施形態に係るパネルユニットにおいて、全ての曲面パネル１０は同じ形状に形成されている。
【００２４】
図１及び図３に示す如く、背側曲面パネル１０Ｂと、右側曲面パネル１０Ｒ及び左側曲面パネル１０Ｌとは、均一幅に形成された軟質樹脂製の長尺部材である接続部材１１で連結されている。背側曲面パネル１０Ｂの背面には、アクリル等の半透明板で形成されたブラインド部材２３が固定される。また、全ての曲面パネル１０の下端部には、それぞれ二個の脚部材１２が設けられている。
【００２５】
左側曲面パネル１０Ｌの外面には、スライド曲面パネル１０Ｓが前後方向にスライド可能に組付けられる。具体的には図３に示す如く、左側曲面パネル１０Ｌにおける左側面の前端部に二個の支持ピン１３が固定される。一方、スライド曲面パネル１０Ｓの右側面（内面）には水平方向に長手方向を向けたレール部材１４が固定される。図６に示す如く、レール部材１４に形成された挿入孔１４ａに支持ピン１３が挿入されることにより、スライド曲面パネル１０Ｓが左側曲面パネル１０Ｌに対してスライド可能となる。図６は図４中のＡ−Ａ線で切断した状態を示している。
【００２６】
本実施形態において、曲面パネル１０は水平方向断面、及び、鉛直方向断面のそれぞれが円の一部で形成される。即ち、曲面パネル１０は図８（ｂ）及び（ｃ）に示す如く、平面視及び側面視で曲線形状に形成されている。さらに詳細には、本実施形態に係る曲面パネル１０は、パネルユニットの内側に中心を有する球面の一部を切り取って形成される球面パネルとして形成されている。換言すれば、パネルユニットにおいて、曲面パネル１０は外側に向かって膨らむように配置されている。なお、曲面パネルを内側に向かって膨らむように配置してパネルユニットを構成することも可能である。
【００２７】
図４に示す如く、曲面パネル１０は内側部材１０ａ、外側部材１０ｂ、及び、フレーム部材１０ｆの三層で構成されている。内側部材１０ａは曲面パネル１０における曲率半径方向の内側に、外側部材１０ｂは曲面パネル１０における曲率半径方向の外側に配置される。本実施形態において、内側部材１０ａ及び外側部材１０ｂは不織布が曲面板状に成形されている。
【００２８】
フレーム部材１０ｆは、内側部材１０ａと外側部材１０ｂとで挟まれることにより、曲面パネル１０の形状を規定する剛性の高い曲面形状の部材である。フレーム部材１０ｆは、それぞれアルミパイプで形成された外フレームｆ１、横内フレームｆ２、縦内フレームｆ３で構成される。外フレームｆ１は湾曲した矩形の枠体であり、曲面パネル１０の外形形状を規定する。図４に示す如く、曲面パネル１０に設けられる脚部材１２は外フレームｆ１に固定される。
【００２９】
フレーム部材１０ｆにおいて、湾曲した棒体である複数本（本実施形態においてはそれぞれ二本）の横内フレームｆ２及び縦内フレームｆ３が互いに交差することによって、曲面パネル１０の曲面形状を規定する。本実施形態に係るパネルブース１において、支持ピン１３、レール部材１４、及び、ブラインド部材２３等については、横内フレームｆ２、縦内フレームｆ３、又はこれらの交差する箇所に固定されている。
【００３０】
接続部材１１で曲面パネル１０を連結する際には、図５に示す如く、接続部材１１の短手方向の両端辺に形成された挿入部１１ａを、外フレームｆ１に形成されたスリットｆｓに挿入する。これにより、曲面パネル１０は互いに連結される。
【００３１】
本実施形態に係るパネルブース１においては図７及び図９に示す如く、背側曲面パネル１０Ｂ、右側曲面パネル１０Ｒ、及び、左側曲面パネル１０Ｌの三枚の曲面パネル１０で、基本パネルユニット（パネルユニットのうち基本的な曲面パネル１０のみで構成されるもの）ＰＵが構成される。より詳細には、三枚の曲面パネル１０を隣接する曲面パネル１０の相対角度が９０度となるように配置し、二本の接続部材１１で連結することにより、基本パネルユニットＰＵが構成される。
【００３２】
図８（ａ）に示す如く、曲面パネル１０は水平方向に対称な形状に形成される。換言すれば、曲面パネル１０は図８（ｂ）に示す如く、中央切断面Ｃで水平方向に二等分可能に形成される。また、図８（ａ）及び（ｂ）に示す如く、曲面パネル１０の水平方向における左右両側辺ＳＬ・ＳＬは、曲面パネル１０を含む曲面（球面）を水平方向に対称な２枚の側辺切断面Ｃｐ・Ｃｐで切断した切断線上に形成される。そして、２枚の切断面Ｃｐ・Ｃｐは中央切断面Ｃ上の交線Ｐで交わる。
【００３３】
本実施形態において、交線Ｐは曲面パネル１０を含む球面の半径方向内に位置するため、両側辺ＳＬ・ＳＬは左右に膨らむように形成される。なお、交線Ｐが曲面パネルを含む球面の半径方向外側に位置するように構成した場合、曲面パネルの両側辺は凹むように形成される。この場合、曲面パネルを内側に向かって膨らむように配置して、パネルユニットが構成される。
【００３４】
交線Ｐは上下方向に沿って位置するため、図８（ｂ）では一点として表示される。図８（ｂ）に示す如く、本実施形態において側辺切断面Ｃｐ・Ｃｐと中央切断面Ｃとのなす角θは４５度で等しくなるように構成されている。
【００３５】
本実施形態に係るパネルブース１を構成するパネルユニットにおいては上記の如く構成することにより、互いに隣接する曲面パネル１０は、平面視における相対角度が所定の９０度となるように配置した際に、隣り合う側辺ＳＬ同士の間隔が一定となる。具体的には図９に示す如く、背側曲面パネル１０Ｂと右側曲面パネル１０Ｒ、及び、背側曲面パネル１０Ｂと左側曲面パネル１０Ｌは、相対角度が所定の９０度となるように配置した際に、隣り合う側辺ＳＬ同士の間隔が一定となる。
【００３６】
図９に示す如く、背側曲面パネル１０Ｂにおける側辺切断面Ｃｐ・Ｃｐと中央切断面Ｃとの交線を背側交線ＰＢ、右側曲面パネル１０Ｒにおける側辺切断面Ｃｐ・Ｃｐと中央切断面Ｃとの交線を右側交線ＰＲ、左側曲面パネル１０Ｌにおける側辺切断面Ｃｐ・Ｃｐと中央切断面Ｃとの交線を左側交線ＰＬとする。パネルブース１の基本パネルユニットＰＵにおいては図９に示す如く、背側交線ＰＢ、右側交線ＰＲ、左側交線ＰＬが近接するように、背側曲面パネル１０Ｂ、右側曲面パネル１０Ｒ、及び、左側曲面パネル１０Ｌを配置しているため、それぞれの曲面パネル１０における側辺ＳＬ・ＳＬが等距離に向かい合って配置される。このため、それぞれの曲面パネル１０は均一幅に形成された長尺部材である接続部材１１で連結することが可能となるのである。
【００３７】
上記の如く、本実施形態に係るパネルブース１を構成するパネルユニットによれば、パネルユニットを構成する曲面パネル１０の鉛直方向断面が円の一部で形成された曲線形状にデザインされているため、使用者に有機的な印象を与えることができる。また、曲面パネル１０の上端部が内側に向けて湾曲しているため、曲面パネル１０の上側から覗き込んだ際にパネルユニットの内部を視認され難くすることができる。即ち、パネルブース１においては、外部空間との遮蔽性を確保するために上下幅を大きくする必要性を低減することが可能となる。
【００３８】
さらに、パネルブース１において、隣接する曲面パネル１０同士を相対角度が所定の９０度となるように配置した際には、隣り合う側辺ＳＬ・ＳＬが等距離に向かい合って配置される。具体的には図９に示す如く、背側曲面パネル１０Ｂと右側曲面パネル１０Ｒ、及び、背側曲面パネル１０Ｂと左側曲面パネル１０Ｌは、平面視における相対角度が所定の９０度となるように配置した際に、隣り合う側辺ＳＬ同士の間隔が一定となる。
【００３９】
このため、それぞれの曲面パネル１０を均一幅の接続部材１１で連結することが可能となる。そして、曲面パネル１０を連結して構成したパネルユニットにおいて、隣接する曲面パネル１０の間に隙間が形成されることがないため、パネルユニットのデザイン性及び内部空間の機密性を確保することが可能となる。
【００４０】
なお、曲面パネル１０を隣接させた際に側辺ＳＬの間隔が一定となる所定角度は、本実施形態における９０度に限定されるものではない。具体的には、側辺切断面Ｃｐ・Ｃｐと中央切断面Ｃとのなす角θを３０度として側辺ＳＬを形成した場合、曲面パネル１０の所定角度を１２０度として隣接した際に側辺ＳＬの間隔が一定となる。また、側辺切断面Ｃｐ・Ｃｐと中央切断面Ｃとのなす角θを２２．５度として側辺ＳＬを形成した場合、曲面パネル１０の所定角度を１５０度として隣接した際に側辺ＳＬの間隔が一定となる。
【００４１】
また、本実施形態に係るパネルブース１を構成するパネルユニットにおいて、曲面パネル１０は、パネルブース１の内側に中心を有する球面の一部を切り取って形成された球面パネルが用いられている。曲面パネル１０は同一の曲率で形成されているため、スライド曲面パネル１０Ｓと左側曲面パネル１０Ｌの如く、重ね合わせた状態でスライドさせて使用しても隙間やがたつきが生じない。また、一方の曲面パネル１０を側辺ＳＬの側に傾けたり、横にしたりした状態で重ね合わせた場合でも、他方の曲面パネル１０との間に隙間を生じることがない。
【００４２】
また、本実施形態に係るパネルブース１を構成するパネルユニットにおいて、曲面パネル１０は図８（ａ）に示す如く、水平方向に対称な形状に形成されている。そして、図８（ｂ）に示す如く、図曲面パネル１０の水平方向における両側辺ＳＬ・ＳＬは、曲面パネル１０を含む曲面を、水平面に対して直交し、かつ水平方向に対称な２枚の切断面Ｃｐ・Ｃｐで切断した切断線上に形成される。さらに、２枚の切断面Ｃｐ・Ｃｐは、曲面パネル１０を水平方向に二等分する中央切断面Ｃ上の交線Ｐで交わる。これにより、曲面パネル１０の左右何れの側辺ＳＬにおいても、他の曲面パネル１０を所定角度９０度で隣接させた場合に側辺ＳＬの間隔を一定にすることができる。即ち、パネルユニットにおいて曲面パネル１０の配置形状の自由度を高めることができる。
【００４３】
また、本実施形態に係るパネルブース１においては、パネルの全てに曲面パネル１０が用いられてる。これにより、パネルブース１に採用される全ての曲面パネル１０を隣接して配置することが可能となる。即ち、何れの曲面パネル１０を所定角度で隣接させた場合でも、側辺ＳＬの間隔を一定にすることができる。なお、パネルブースにおいては少なくとも１枚の曲面パネル１０を備えていれば良く、全てのパネルを曲面パネル１０とする必要はない。
【００４４】
次に、図１０（ａ）及び（ｂ）を用いて、接続部材１１以外の方法で曲面パネル１０を連結する実施例について説明する。図１０（ａ）に示す如く、本実施例に係る曲面パネル１０は二個の固定部材１５で連結される。図１０（ｂ）に示す如く、固定部材１５は二枚の曲面パネル１０の連結部分の内側に当接する内側固定部材１５ａと、二枚の曲面パネル１０の連結部分の外側に当接する外側固定部材１５ｂとに分割可能に構成される。そして、内側固定部材１５ａと外側固定部材１５ｂとをボルトＢで連結することにより、二枚の曲面パネル１０が連結される。このように、曲面パネル１０を連結する手法として接続部材１１を用いる構成以外の構成を採用することも可能である。
【００４５】
次に、図１１から図１６を用いて、第二実施形態から第七実施形態に係るパネルブース１０１〜１０６について説明する。以降の実施形態において用いる曲面パネル１０等については、第一実施形態に係るパネルブース１と同様に構成されているため、同じ構成については同符号を付して詳細な説明を省略する。
【００４６】
図１１に示す如く、第二実施形態に係るパネルブース１０１は、五枚の曲面パネル１０を組み合わせたパネルユニットの内部に天板２４が設けられて構成される。天板２４は、天板２４を囲む三枚の曲面パネル１０におけるフレーム部材１０ｆに固定されている。天板２４の長辺を支持する曲面パネル１０の外面には、ブラインド部材２３が固定されている。
【００４７】
図１２に示す如く、第三実施形態に係るパネルブース１０２は、パネルユニットとして三枚の曲面パネル１０を基本パネルユニットＰＵと同様に構成し、その内部にテーブル２５が載置されて構成される。テーブル２５の脚の形状は、曲面パネル１０の形状に沿った曲線形状に形成されている。三枚の曲面パネル１０の上辺には、曲面パネル１０に沿って折り曲げて構成された折曲型ブラインド部材２６が固定されている。
【００４８】
図１３に示す如く、第四実施形態に係るパネルブース１０３は、二枚の曲面パネル１０と、三枚並べた第二曲面パネル１１０とを組み合わせたパネルユニットの内部にコンセント付き天板２７が設けられて構成される。コンセント付き天板２７にはコンセント２７ａが固定されている。中央の第二曲面パネル１１０の外面には、第二曲面パネル１１０に沿った形状の第二ブラインド部材１２３が固定されている。
【００４９】
図１３に示す如く、本実施形態における第二曲面パネル１１０は水平方向断面が直線形状に形成され、鉛直方向断面が曲線形状に形成される。即ち、第二曲面パネル１１０は側面視のみが曲線形状に形成されている。そして、曲面パネル１０と第二曲面パネル１１０とは、相対角度が所定の９０度となるように配置した際に、隣り合う側辺同士の間隔が一定となる。即ち、曲面パネル１０と第二曲面パネル１１０との互いの側辺が等距離に向かい合って配置されるため、それぞれを均一幅に形成された長尺部材である接続部材で連結することが可能となる。
【００５０】
本実施形態においては、曲面パネル１０と第二曲面パネル１１０とを一枚ずつ連結する構成としたが、曲面パネル１０の両側に、相対角度を９０度として第二曲面パネル１１０を連結する構成としても良い。また、第二曲面パネル１１０の両側に、相対角度を９０度として曲面パネル１０を連結する構成としても良い。
【００５１】
図１４に示す如く、第五実施形態に係るパネルブース１０４は、五枚の曲面パネル１０と、二枚の平面パネル２１０とを組み合わせたパネルユニットの内部にコンセント付き天板２７が設けられて構成される。平面パネル２１０は水平方向及び鉛直方向の断面が直線形状となる平板で形成されている。コンセント付き天板２７にはコンセント２７ａが固定されている。本実施形態においては、二枚の曲面パネル１０の間に、二枚の平面パネル２１０を平行に配置し、それぞれの曲面パネル１０と平面パネル２１０との間に曲面パネル１０を連結して構成されている。本実施形態においては、コンセント付き天板２７の長辺を支持する二枚の曲面パネル１０に亘ってブラインド部材２３が固定されている。
【００５２】
図１５に示す如く、第六実施形態に係るパネルブース１０５は、七枚の曲面パネル１０と、三枚の第二曲面パネル１１０をと組み合わせたパネルユニットの内部にコンセント付きテーブル２８が設けられて構成される。具体的には、三枚並べた曲面パネル１０と、三枚並べた第二曲面パネル１１０と、四枚並べた曲面パネル１０とにより、一区画のパネルブース１０５を形成している。コンセント付きテーブル２８にはコンセント２８ａが固定されている。
【００５３】
図１６に示す如く、第七実施形態に係るパネルブース１０６は、九枚の曲面パネル１０を組み合わせたパネルユニットの内部に三個のソファ２９が設けられて構成される。具体的には、四枚並べた曲面パネル１０の内側に三個のソファ２９を配置し、ソファ２９に対向する位置に五枚並べた曲面パネル１０を立設するのである。このように、本実施形態に係るパネルブース１０６は、複数の曲面パネル１０を組み合わせることにより、複数の使用者が使用できるように構成されている。
【符号の説明】
【００５４】
１        パネルブース（第一実施形態）
１０        曲面パネル（パネルユニット用パネル体）
１０Ｂ      背側曲面パネル         １０Ｒ      右側曲面パネル   
１０Ｌ      左側曲面パネル         １０Ｓ      スライド曲面パネル
１０ａ      内側部材               １０ｂ      外側部材         
１０ｆ      フレーム部材           １１        接続部材         
１１ａ      挿入部                 １２        脚部材           
１３        支持ピン               １４        レール部材       
１４ａ      挿入孔                 １５        固定部材         
１５ａ      内側固定部材           １５ｂ      外側固定部材     
２１        椅子                   ２２        テーブル         
２３        ブラインド部材         ２４        天板             
２５        テーブル               ２６        折曲型ブラインド部材    
２７        コンセント付き天板
２７ａ      コンセント       
２８        コンセント付きテーブル  
２８ａ      コンセント             ２９        ソファ           
ＰＵ        基本パネルユニット
ｆ１      外フレーム               ｆ２      横内フレーム     
ｆ３      縦内フレーム             ｆｓ      スリット         
Ｃ        中央切断面               Ｃｐ      側辺切断面       
ＳＬ      側辺                     Ｐ        交線             
ＰＢ      背側交線                 ＰＲ      右側交線         
ＰＬ      左側交線                 Ｂ        ボルト           
１０１        パネルブース（第二実施形態）
１０２        パネルブース（第三実施形態）
１０３        パネルブース（第四実施形態）
１０４        パネルブース（第五実施形態）
１０５        パネルブース（第六実施形態）
１０６        パネルブース（第七実施形態）
１１０        第二曲面パネル       １２３        第二ブラインド部材
２１０        平面パネル
【図１】
2020105727.tif 000003
【図２】
2020105727.tif 000004
【図３】
2020105727.tif 000005
【図４】
2020105727.tif 000006
【図５】
2020105727.tif 000007
【図６】
2020105727.tif 000008
【図７】
2020105727.tif 000009
【図８】
2020105727.tif 000010
【図９】
2020105727.tif 000011
【図１０】
2020105727.tif 000012
【図１１】
2020105727.tif 000013
【図１２】
2020105727.tif 000014
【図１３】
2020105727.tif 000015
【図１４】
2020105727.tif 000016
【図１５】
2020105727.tif 000017
【図１６】
2020105727.tif 000018